(57)【要約】【課題】  靴を履いたとき足に汗をかき、蒸れたり、嫌な臭いを発して不快になることはよく経験するところである。そのために吸湿性を持たせた靴敷き、活性炭を繊維に内包した靴敷きなどが市場に出ている。これらは蒸れと悪臭防止には一定の効果があると思われる。しかし水虫の治療までは期待できず、治療には薬を用いることになるであろう。【解決手段】  本発明はアロエ葉を破砕して、乾燥成型して靴敷きとし用い、吸湿性を持たせ、足を快適に保ち、さらには水虫を治療、防止するものである。靴敷きとしての機能を満足させるためには、表面または内部に不織布その他の補強材を付加することもある。表面補強材はまた肌触りを良くするためにも、凹凸を付したり、穴あきとして用いることもある。【特許請求の範囲】
【請求項１】
アロエ葉を破砕機で細かく破砕し、水分を他の構成素材に吸収させるか乾燥させて、適当な厚さの板状、靴底形状に加圧成型する。水分を乾燥させる際は、液に含まれる薬効成分が変質しない程度の低温で加熱して水分だけを蒸発させる。
【請求項２】
靴敷きとしての機能を満足させるためには、請求項１の表面または内部に不織布その他の補強材を付加することもある。補強材は環境保護のため生分解性プラスチックで作るのも良い。
【請求項３】
表面補強材はまた肌触りを良くするために、請求項１および請求項２のものに凹凸を付したり、穴あきとして用いることもできる。
【請求項４】
目的をより効果的にするためには、請求項１、請求項２および請求項３のものに他の成分を付加することも考えられる。例えば、活性炭を混合したり、アロエの薬効を損なわず、さらに相乗効果を上げるような他の薬効成分を添加することも考えられる。
【請求項５】
請求項１、請求項２、請求項３および請求項４のものにカバーを付して、スリッパまたはサンダルとして用いることができる。
【発明の詳細な説明】
【技術分野】
【０００１】  本発明はアロエ葉を破砕して、乾燥成型して靴敷きとし用い、足を快適に保ちあるいは水虫を治療、防止する分野に関するものである。
【背景技術】
【０００２】  靴を履いたとき足に汗をかき、蒸れたり、嫌な臭いを発して不快になることはよく経験するところである。そのために吸湿性を持たせた靴敷き、活性炭を繊維に内包した靴敷きなどが市場に出ている。はては靴敷きの中に復元性を持たせた空間を形成して、歩くたびに空間を踏み潰すことと開放を繰り返して、エアポンプを構成して空気交換をさせる靴敷きまである。これらは蒸れと悪臭防止には一定の効果があると思われる。しかし水虫の治療までは期待できず、治療には薬を用いることになるであろう。アロエ葉のゼリー質を水虫の治療に用いることは知られており、書籍にも記述されている。
【発明の開示】
【発明が解決しようとする課題】
【０００３】  従来の吸湿性を持たせた靴敷き、活性炭を繊維に内包した靴敷き、エアポンプ作用を利用して空気交換をさせる靴敷きについては、蒸れと悪臭防止には一定の効果があると思われる。しかし水虫の治療までは期待できず、治療には薬を用いることになるであろう。本発明はアロエ葉を破砕して、乾燥成型して靴敷きとして用い、吸湿性を持たせ、足を快適に保ち、さらにはアロエ葉の薬効成分により水虫を治療、防止するものである。
【課題を解決するための手段】
【０００４】  アロエ葉を破砕機で細かく破砕し、水分を乾燥させて、適当な厚さの板状、靴底形状に加圧成型する。
水分を乾燥させる際は、液に含まれる薬効成分が変質しない程度の低温で加熱して水分だけを蒸発させる。また薬効成分をあまり必要としない場合は、破砕してろ過した後の残渣だけを用いて成型しても良い。
靴敷きとしての機能を満足させるためには、表面または内部に不織布その他の補強材を付加することもある。補強材は環境保護のため生分解性プラスチックで作るのも良い。
表面補強材はまた肌触りを良くするためにも、凹凸を付したり、穴あきとして用いることもできる。
この目的をより効果的にするためには、他の成分を付加することも考えられる。例えば、活性炭を混合したり、アロエの薬効を損なわず、さらに相乗効果を上げるような他の薬効成分を添加することも考えられる。
【発明の効果】
【０００５】  用途は、靴敷きとして用いて、足が蒸れて不快になることを防ぐこと、汗による悪臭を解消すること、水虫の発症を抑え、治療することである。
本発明は自然界に存するものの有効利用であり、高価なものでもなく、使い捨てが可能である。またアロエ自体、生食もできるものであり、廃棄しても環境汚染とは無縁である。
【実施例】
【０００７】  靴敷きの製造工程は次の通りである。
１．洗浄工程−２．破砕工程−３．成型プレス工程。
洗浄工程・・・水洗することによって土を落とす。
破砕工程・・・長さ５ミリメートル程度の細片に破砕する。
成型プレス工程・・・靴底形状に成型圧搾する。【０００８】  成形性を保つ為に不織布を芯にしても良いし、表裏を包むようにすることも良い。
さらに耐久性を高める為に少量の生分解性プラスチックを混入させることも良い。
【産業上の利用可能性】
【０００９】  本発明の用途は、靴敷きとして用いて、足が蒸れて不快になることを防ぐこと、汗による悪臭を解消すること、水虫の発症を抑え、治療することである。
本発明はまたカバーを付して、スリッパまたはサンダルとして用いて、同様の目的に用いることができる。
本発明は日常のあらゆるところで使用できるのはもちろんであるが、特に不特定多数が利用する施設において、他人の使用したスリッパを使用することに対して抵抗感のある人には福音となるであろう。その施設は例えば病院、温泉施設、旅館、お座敷飲食施設などである。
また長時間過ごすこととなる列車、機内で靴を履いていて足が蒸れて不快を感じた人は多いのではないだろうか。そのようなときの利用も考えられる。
【手続補正書】
【提出日】平成18年7月22日(2006.7.22)
【手続補正１】
【補正対象書類名】明細書
【補正対象項目名】全文
【補正方法】変更
【補正の内容】
【発明の詳細な説明】
【技術分野】
【０００１】  本発明はアロエ葉を破砕して、乾燥成型して靴敷きとし用い、足を快適に保ちあるいは水虫を治療、予防する分野に関するものである。
【背景技術】
【０００２】  靴を履いたとき足に汗をかき、蒸れたり、嫌な臭いを発して不快になることはよく経験するところである。そのために吸湿性を持たせた靴敷き、活性炭を繊維に内包した靴敷きなどが市場に出ている。はては靴敷きの中に復元性を持たせた空間を形成して、歩くたびに空間を踏み潰すことと開放を繰り返して、エアポンプを構成して空気交換をさせる靴敷きまである。これらは蒸れと悪臭防止には一定の効果があると思われる。しかし水虫の治療までは期待できず、治療には薬を用いることになるであろう。アロエ葉のゼリー質を水虫の治療に用いることは知られており、書籍にも記述されている。
【発明の開示】
【発明が解決しようとする課題】
【０００３】従来の吸湿性を持たせた靴敷き、活性炭を繊維に内包した靴敷き、エアポンプ作用を利用して空気交換をさせる靴敷きについては、蒸れと悪臭防止には一定の効果があると思われる。しかし水虫の治療までは期待できず、治療には薬を用いることになるであろう。本発明はアロエ葉を破砕して、乾燥成型して靴敷きとして用い、吸湿性を持たせ、足を快適に保ち、さらにはアロエ葉の薬効成分により水虫を治療、予防するものである。
【課題を解決するための手段】
【０００４】アロエ葉を破砕機で細かく破砕し、水分を乾燥させて、適当な厚さの板状、靴底形状に成型する。成型する際にはチップ同士を一定に保持させるつなぎまたは接着剤がいる場合もある。水分を乾燥させる際は、液に含まれる薬効成分が変質しない程度の低温で加熱して水分だけを蒸発させる。また薬効成分をあまり必要としない場合は、破砕してろ過した後の残渣だけを用いて成型しても良い。靴敷きとしての機能を満足させるためには、表面または内部に不織布その他の補強材を付加することもある。補強材は環境保護のため生分解性プラスチックで作るのも良い。表面補強材はまた肌触りを良くするためにも、凹凸を付したり、穴あきとして用いることもできる。成型の具体的方法は次のようにすることが考えられる。▲１▼チップにゴム、プラスチック、その他のつなぎを加えて加圧成型する方法がある。これは１枚１枚作っても良いし、板状物から裁断しても良い。またブロック状からスライスした板状物から裁断しても良い。▲２▼布と板状物とで袋状に縫製してのち、袋の中にチップを入れてキルティング縫製する方法もある。▲３▼チップを薄いシーとに貼り付けて、これをフエルト、スポンジ、その他の板状物に貼り付けても良い。▲４▼前記▲３▼のように薄いシートは用いず、板状物にチップを直に貼り付けても良い。この目的をより効果的にするためには、他の成分を付加することも考えられる。例えば、活性炭を混合したり、アロエの薬効を損なわず、さらに相乗効果を上げるような他の薬効成分を添加することも考えられる。
【発明の効果】
【０００５】用途は、靴敷きとして用いて、足が蒸れて不快になることを防ぐこと、汗による悪臭を解消すること、水虫の発症を抑え、治療することである。本発明は自然界に存するものの有効利用であり、高価なものでもなく、使い捨てが可能である。またアロエ自体、生食もできるものであり、廃棄しても環境汚染とは無縁である。
【実施例】
【０００７】  靴敷きの製造工程は次の通りである。１．洗浄工程−２．破砕工程−３．乾燥工程−４．成型（プレス）工程。洗浄工程…水洗することによって土を落とす．破砕工程…粉体〜５ミリメートル程度の細片に破砕する。乾燥工程…アロエの薬効成分がなるべく残る温度以下で乾燥する。成型（プレス）工程…靴底形状に成型する。必要ならば加圧成型する。【０００８】
【産業上の利用可能性】
【０００９】  本発明の用途は、靴敷きとして用いて、足が蒸れて不快になることを防ぐこと、汗による悪臭を解消すること、水虫の発症を抑え、治療することである。本発明はまたカバーを付して、スリッパまたはサンダルとして用いて、同様の目的に用いることができる。本発明は日常のあらゆるところで使用できるのはもちろんであるが、特に不特定多数が利用する施設において、他人の使用したスリッパを使用することに対して抵抗感のある人には福音となるであろう。その施設は例えば病院、温泉施設、旅館、お座敷飲食施設などである。また長時間過ごすこととなる列車、機内で靴を履いていて足が蒸れて不快を感じた人は多いのではないだろうか。そのようなときの利用も考えられる。